(57)【特許請求の範囲】
【請求項１】
口元形状を円形とした側面壁と底面形状を円形とした底面とからなり、口元の直径である口元口径から底面の直径である底面口径へと口径が段差なく連続的に漸減する丸型飲用容器状の立体形状を第１基本立体形状とし、
口元形状を多角形とした側面壁と底面形状を多角形とした底面とからなり、口元の外接円の直径である口元口径が前記第１基本立体形状の口元口径以下であって、底面の外接円の直径である底面口径を前記第１基本立体形状の口元口径と底面口径との間の任意の中間値とし、側面壁の高さを前記第１基本立体形状の側面壁の高さ未満に設定した角型飲用容器状の立体形状を第２基本立体形状とし、
前記第１基本立体形状と第２基本立体形状とを中心軸を一致させ、第１基本立体形状の口元の高さ位置と第２基本立体形状の口元の高さ位置を揃えて重ね合わせたと仮定した場合において、前記第１基本立体形状に属する部分を前記第２基本立体形状から除去した場合に残る残余の立体形状を第３基本立体形状とし、
前記第１基本立体形状と前記第３基本立体形状とを一体成形したものに相当する立体形状からなること、を特徴とする飲用容器。
【請求項２】
口元形状を円形とした側面壁と底面形状を円形とした底面とからなり、口元の直径である口元口径から底面の直径である底面口径へと口径が段差なく連続的に漸減する丸型飲用容器状の立体形状を第１基本立体形状とし、
口元形状を円形とした側面壁と底面形状を多角形とした底面とからなり、口元の直径である口元口径が前記第１基本立体形状の口元口径以下であって、底面の外接円の直径である底面口径を前記第１基本立体形状の口元口径と底面口径との間の任意の中間値とし、側面壁の高さを前記第１基本立体形状の側面壁の高さ未満に設定してなる丸角複合型飲用容器状の立体形状を第２基本立体形状とし、
前記第１基本立体形状と第２基本立体形状とを中心軸を一致させ、第１基本立体形状の口元の高さ位置と第２基本立体形状の口元の高さ位置を揃えて重ね合わせたと仮定した場合において、前記第１基本立体形状に属する部分を前記第２基本立体形状から除去した場合に残る残余の立体形状を第３基本立体形状とし、
前記第１基本立体形状と前記第３基本立体形状とを一体成形したものに相当する立体形状からなること、を特徴とする飲用容器。
【請求項３】
口元形状を円形とした側面壁と底面形状を多角形とした底面とからなり、口元の直径である口元口径から底面の外接円の直径である底面口径へと口径が段差なく連続的に漸減する丸角複合型飲用容器状の立体形状を第１基本立体形状とし、
口元形状を多角形とした側面壁と底面形状を多角形とした底面とからなり、口元の外接円の直径である口元口径が前記第１基本立体形状の口元口径以下であって、底面の外接円の直径である底面口径を前記第１基本立体形状の口元口径と底面口径との間の任意の中間値とし、側面壁の高さを前記第１基本立体形状の側面壁の高さ未満に設定した角型飲用容器状の立体形状を第２基本立体形状とし、
前記第１基本立体形状と第２基本立体形状とを中心軸を一致させ、第１基本立体形状の口元の高さ位置と第２基本立体形状の口元の高さ位置を揃え、前記側面壁の角部を対応させて重ね合わせたと仮定した場合において、前記第１基本立体形状に属する部分を前記第２基本立体形状から除去した場合に残る残余の立体形状を第３基本立体形状とし、
前記第１基本立体形状と前記第３基本立体形状とを一体成形したものに相当する立体形状からなること、を特徴とする飲用容器。
【請求項４】
口元形状を円形とした側面壁と底面形状を多角形とした底面とからなり、口元の直径である口元口径から底面の外接円の直径である底面口径へと口径が段差なく連続的に漸減する丸角複合型飲用容器状の立体形状を第１基本立体形状とし、
口元形状を円形とした側面壁と底面形状を多角形とした底面とからなり、口元の直径である口元口径が前記第１基本立体形状の口元口径以下であって、底面の外接円の直径である底面口径を前記第１基本立体形状の口元口径と底面口径との間の任意の中間値とし、側面壁の高さを前記第１基本立体形状の側面壁の高さ未満に設定してなる丸角複合型飲用容器状の立体形状を第２基本立体形状とし、
前記第１基本立体形状と第２基本立体形状とを中心軸を一致させ、第１基本立体形状の口元の高さ位置と第２基本立体形状の口元の高さ位置を揃え、前記側面壁の角部を対応させて重ね合わせたと仮定した場合において、前記第１基本立体形状に属する部分を前記第２基本立体形状から除去した場合に残る残余の立体形状を第３基本立体形状とし、
前記第１基本立体形状と前記第３基本立体形状とを一体成形したものに相当する立体形状からなること、を特徴とする飲用容器。
【請求項５】
前記第１基本立体形状における底面は、外周部を所定幅の環状に残して外周部以外の部分を凹面に形成することによって形成した環状台を備え、該環状台の少なくとも一箇所が前記第２基本立体形状の側面壁の隣接する角部と角部との中間位置において切り欠かれて水抜き溝を形成していること、を特徴とする請求項３または請求項４に記載の飲用容器。
【請求項６】
前記側面壁に取手を備え、該取手は、前記第２基本立体形状の側面壁の高さの範囲内に取り付けられていること、を特徴とする請求項１ないし請求項４のいずれか１項に記載の飲用容器。
【発明の詳細な説明】
【技術分野】
【０００１】
本発明は、清涼飲料、アルコール飲料、コーヒ、その他の飲料を飲む際に用いるコップ
、紅茶わん、マグカップ、タンブラー等と称される樹脂製、ガラス製、陶磁器製の飲用容
器であって、特に、収納時の積重ね特性、水洗い後の積重ね収納時の排水性、視覚的興趣
性を改善したものに関する。
【背景技術】
【０００２】
飲用容器を含む食器類は、単なる容器としての機能を提供するばかりでなく、その容器
の外形デザインを含む視覚的興趣性や手持ち感によって、飲食を楽しむのに適する環境を
提供する役割を有し、この意味において、食器類の視覚的興趣性や手持ち感には、他の一
般的包装容器もしくは収納容器類とは異なる特有の要望がなされる。
【０００３】
また、飲用容器を含む食器類の種類は、飲食品の多様性に対応して極めて多様であり、
このため飲食品の提供業者に限らず、一般家庭においても食器棚に収納すべき食器類の数
は膨大である。このことから、食器類には、収納時における収納性が良好であることも求
められる。
【０００４】
食器類の収納性に関して、皿や椀、どんぶりは、簡単に積重ねすることができるのであ
るが、コップやカップ、マグカップ等の飲用容器においては、積重ねることによって様々
な不都合が生じる。また、取手付きマグカップのように取手の位置によっては、取手が支
障してそもそも積重ねが不能である場合もある。
【０００５】
飲用容器において積重ね収納時に問題が生じるのは、飲用容器が液体を収納することを
目的としているため、通常、口元口径から底面口径に至るまでの口径が漸減する態様で付
与される側面壁の底絞りテーパがごく僅かに設定されていることに起因している。すなわ
ち、底絞りテーパ率の小さい飲用容器を多数個積み重ねた際の累積重量は、側面壁のテー
パによって径方向の分力成分を発生させ、発生する径方向の分力成分は、テーパ率が小さ
いほど大きくなるという関係にある。そこで、上側容器が下側容器に対してクサビのよう
に機能することによって、互いに上下に積み重なった飲用容器の側面壁同士が予期できな
い大きな面圧で嵌合してしまい、食器類に対するごく普通の取扱いによってキズ、割れ、
ひびが発生してしまうのである。
【０００６】
また、飲用容器の積重ね収納においては、飲用容器を上向き姿勢で積み重ねる場合のほ
か、飲用容器を伏せ姿勢で積み重ねることも少なくないが、いずれの姿勢で積み重ねると
しても、積み重ねた上下の飲用容器間に洗浄に際しての水分が閉じ込められてしまい、内
部が不衛生な状態になるという問題がある。この問題は、積重ね収納に先立って十分なふ
き取りと乾燥を行なうことにより防止することができる問題であるが、繁忙時には飲用容
器の利用者にとって大きな作業負担となる。
【０００７】
飲用容器の積重ね収納に関する上記問題の存在及びその原因は、従来から広く周知され
ているところであり、したがって、この問題に対して多様な提案がなされている（下記特
許文献参照）。
【先行技術文献】
【特許文献】
【０００８】
【特許文献１】実用新案登録第３１２５０８０号公報
【特許文献２】特開２００１−３１０５１号公報
【特許文献３】特開平７−３２９９４８号公報
【特許文献４】実用新案登録第３０２０７５９号公報
【特許文献５】実開昭５０−１４６９０１号公報
【特許文献６】実開平６−１２３３０号公報
【特許文献７】実開昭５１−２０５７４号公報
【特許文献８】実開昭５３−５８８８６号公報
【０００９】
上記特許文献に例示される提案は、その提案の本質的特徴に基づいて幾つかの群に分類
することができるが、その分類ごとに概ね次のような問題点を含んでいる。
【００１０】
高台部を有する飲用容器の場合は（特許文献１参照）、高台部の外径と口元部の内径を
適切に設定することにより、上積み容器の高台部を下側容器の口元内に落し込む態様での
安定な積重ねが可能である。しかし、高台部は焼き物の伝統的デザインに由来するもので
あり、飲用容器に対する洗練された今日的デザイン需要には適合できない傾向にある。
【００１１】
飲用容器の内周面に環状の受け段部を形成し、この部分に上積み容器を受け止める提案
は（特許文献２，３参照）、底絞りテーパ率が小さいストレートデザインの飲用容器には
適用が困難である。底絞りテーパの小さい飲用容器の内周面に、上積み容器を支持する上
で有効な突出量を有する受け段部を突設すると、受け段部以下の内周面が無テーパまたは
逆テーパとなり、成形に際して成形品を金型から離型させるのに困難性が生じる（特許文
献３の図３，図４参照）。
【００１２】
飲用容器の外周面に環状の受け段部を形成し、この部分を下側容器の口元に載せるよう
に積重ねる提案は（特許文献４参照）、デザインの巧拙にもよるが、外周面に環状の段部
がある外観とならざることを得ないことから、もともとデザイン自由度が大きくはないと
いう悩みを蔓延させている飲用容器業界におけるデザイン自由度をさらに制限してしまう
という問題がある。帯状の突起部を下側容器内に落し込むようにして積み重ねるとしても
、同じことであるといえる（特許文献５参照）。
【００１３】
飲用容器の外周面に複数個のリブを突設し、下側容器の内周面に上積み容器の外周面が
複数のリブを介して当接するようにした提案は（特許文献６参照）、密着防止という面に
のみ注目する提案であって、多数個を積重ねた場合の累積重量がリブを介して下側容器の
複数点に集中することから、飲用容器の材質や表面仕上げによっては、このことによる弊
害が避けられないことになる。
【００１４】
容器の中間部に大径の飲用容器と小径の飲用容器とを上下につなぎ合わせたような極端
な段部を有する飲用容器は（特許文献７，８参照）、段部が大面積に過ぎ、容器を上下に
積重ねた状態における上下の容器の位置決め機能を失う結果になる（特許文献７参照）。
このため、小径部の一部を膨出させて小径部が大径部内で自由移動しないようにするよう
な対策が必要とされ（特許文献８参照）、一般的飲用容器としては違和感を伴う外観を呈
する。
【００１５】
なお、飲用容器の積重ね収納時において上下の容器間に水分が閉じ込められて不衛生に
なる問題については、上下の容器間の内部が積み重ねた際に密閉状態になることが原因し
ている。さらに、伏せ姿勢での積重ね収納に関しては、飲用容器の底面の外周部に安定な
着座性を得るための環状台を有する形態の飲用容器、および、上げ底形式の底面を有する
形態の飲用容器においては、底面状に水が貯留することとなるので、特に問題となるので
あるが、飲用容器としては適さない形態の容器（特許文献６参照）を除き、有効な対策が
なされていない現状である。
【発明の概要】
【発明が解決しようとする課題】
【００１６】
本発明は、飲用容器の積重ね収納に関する上記各提案例と、各提案がもたらすことのあ
る問題点を認識した上で、全く新しい観点から、飲用容器に対する業界における基本的課
題であるところの、使用時における飲用容器としての豊かな興趣性と、積重ね収納の容易
性と、積重ね収納時における衛生状態の確保を、違和感を伴わない、いわば普通の外観を
犠牲にすることなく実現することを目的とする。
【００１７】
本発明は、上記目的を達成するために、角型形状を基調とする飲用容器と、丸型形状を
基調とする飲用容器とを、若しくはこれらと丸角複合型の飲用容器とを所定の条件下で組
み合わせて幾何学的に合成し、最終的には、角型飲用容器の一部が、丸型飲用容器、角型
の飲用容器、若しくは丸角複合型飲用容器の外周面に突出するように残る態様で組み合わ
せることによって、突出する角型容器の複数の角部を利用しての、クサビ的拡張力を発生
させない安定で容易な積重ね性を実現するとともに、積重ね収納時においては、衛生状態
を確保する上で欠くことができない通風性および排水性を備え、飲用容器の使用時におい
ては、観察する角度によって丸型容器とも、角型容器とも見える興趣性を備えた飲用容器
を提案するものである。
【課題を解決するための手段】
【００１８】
上記目的を達成するための手段として本発明は、次のような構成を採用する。
【００１９】
（解決手段１）
本発明の飲用容器は、口元形状を円形とした側面壁と底面形状を円形とした底面とからなり、口元の直径である口元口径から底面の直径である底面口径へと口径が段差なく連続的に漸減する丸型飲用容器状の立体形状を第１基本立体形状とし、口元形状を多角形とした側面壁と底面形状を多角形とした底面とからなり、口元の外接円の直径である口元口径が前記第１基本立体形状の口元口径以下であって、底面の外接円の直径である底面口径を前記第１基本立体形状の口元口径と底面口径との間の任意の中間値とし、側面壁の高さを前記第１基本立体形状の側面壁の高さ未満に設定した角型飲用容器状の立体形状を第２基本立体形状とし、前記第１基本立体形状と第２基本立体形状とを中心軸を一致させ、第１基本立体形状の口元の高さ位置と第２基本立体形状の口元の高さ位置を揃えて重ね合わせたと仮定した場合において、前記第１基本立体形状に属する部分を前記第２基本立体形状から除去した場合に残る残余の立体形状を第３基本立体形状とし、前記第１基本立体形状と前記第３基本立体形状とを一体成形したものに相当する立体形状からなることを特徴とする。
【００２０】
本発明の飲用容器は、幾何学的合成手法によって丸型飲用容器の特徴と角型飲用容器の特徴とをともに残すようにして設計される。
【００２１】
具体的に、本発明の引用容器は、第１基本立体形状と第３基本立体形状とを一体成形した形態を有する。この際の第３基本立体形状は、第１基本立体形状と第２基本立体形状との関係から作成される。
【００２２】
第１基本立体形状とは、丸型飲用容器状の立体形状である。この立体形状は、口元形状を円形とした側面壁と、底面形状を円形とした底面とからなり、口元の直径である口元口径から底面の直径である底面口径へと口径が段差なく連続的に漸減する、いわゆる底絞りテーパを有する飲用容器のありふれた形状である。
【００２３】
第２基本立体形状とは、一般的な角型飲用容器状の立体形状である。この立体形状は、口元形状を角型とした側面壁と底面形状を角型とした底面とからなり、第１基本立体形状との関係は、口元の外接円の直径である口元口径が第１基本立体形状の口元口径以下であって、底面の外接円の直径である底面口径を第１基本立体形状の口元口径と底面口径との間の任意の中間値とし、側面壁の高さを第１基本立体形状の側面壁の高さ未満に設定し、側面壁の角部をアール面取りした形状である。すなわち、第２基本立体形状もありふれた角型飲用容器の形状である。
【００２４】
第３基本立体形状とは、第２基本立体形状から第１基本立体形状に属する部分を除去したと仮定した場合に残る残余の立体形状である。ここで、第２基本立体形状について第１基本立体形状に属する部分とは、第１基本立体形状と第２基本立体形状を造形上の中心軸を一致させ、第１基本立体形状の口元の高さ位置と第２基本立体形状の口元の高さ位置を揃えて重ね合わせたと仮定した場合において、第１基本立体形状の外形内に含まれることとなる部分の意味である。そして、第１基本立体形状に含まれることとなる部分を除去したと仮定した場合に残る残余部分が第３基本立体形状である。なお、この第３基本立体形状は、概ね、第２基本立体形状である角型飲用容器の底角部を頂点とするごく高さの低い３角錐形状を呈するものであり、第２基本立体形状の角数に対応する複数に分離した形状となる。
【００２５】
本発明の飲用容器の外形は、上記のような第１基本立体形状と第３基本立体形状を一体成形した立体形状に相当する立体形状となる。つまり、丸型飲用容器の側面壁の外周面に角型飲用容器の側面壁が部分的に現れた外形となり、このことによって、観察する角度によって丸型飲用容器とも角型飲用容器とも見える特別な四視覚的効果が実現されるのである。
【００２６】
また、第２基本立体形状における側面壁の高さが、第１基本立体形状の側面壁の高さ未満に設定されていることにより、丸型飲用容器の側面壁には、必然的に角型飲用容器の底角部分が段差を伴って突出することとなる。したがって、本発明の飲用容器を積み重ねる際には、この突出した角型飲用容器の底角部分を受け段として利用することができる。
【００２７】
（解決手段２）
本発明の飲用容器は、口元形状を円形とした側面壁と底面形状を円形とした底面とからなり、口元の直径である口元口径から底面の直径である底面口径へと口径が段差なく連続的に漸減する丸型飲用容器状の立体形状を第１基本立体形状とし、口元形状を円形とした側面壁と底面形状を多角形とした底面とからなり、口元の直径である口元口径が前記第１基本立体形状の口元口径以下であって、底面の外接円の直径である底面口径を前記第１基本立体形状の口元口径と底面口径との間の任意の中間値とし、側面壁の高さを前記第１基本立体形状の側面壁の高さ未満に設定してなる丸角複合型飲用容器状の立体形状を第２基本立体形状とし、前記第１基本立体形状と第２基本立体形状とを中心軸を一致させ、第１基本立体形状の口元の高さ位置と第２基本立体形状の口元の高さ位置を揃えて重ね合わせたと仮定した場合において、前記第１基本立体形状に属する部分を前記第２基本立体形状から除去した場合に残る残余の立体形状を第３基本立体形状とし、前記第１基本立体形状と前記第３基本立体形状とを一体成形したものに相当する立体形状からなることを特徴とする
【００２８】
上記構成における第１基本立体形状は、解決手段１におけるものと同じであり、第２基本立体形状が解決手段１におけるものと相違する。また、第２基本立体形状についての相違点は、口元形状のみである。すなわち、解決手段１における第２基本立体形状の口元形状が多角形であるのに対して、本発明では、円形の口元形状が採用されている。第１基本立体形状に対するその他の条件は同じである。
【００２９】
上記構成は、解決手段１と略同様の作用効果を奏する異なる手段を示している。第２基本立体形状の口元口径は、第１基本立体形状の口元口径以下であることが条件付けられていることにより、第２基本立体形状の口元形状が相違するとしても、最終的に形成される飲用容器の口元形状としては表現されないからである。
【００３０】
（解決手段３）
本発明の飲用容器は、口元形状を円形とした側面壁と底面形状を多角形とした底面とからなり、口元の直径である口元口径から底面の外接円の直径である底面口径へと口径が段差なく連続的に漸減する丸角複合型飲用容器状の立体形状を第１基本立体形状とし、口元形状を多角形とした側面壁と底面形状を多角形とした底面とからなり、口元の外接円の直径である口元口径が前記第１基本立体形状の口元口径以下であって、底面の外接円の直径である底面口径を前記第１基本立体形状の口元口径と底面口径との間の任意の中間値とし、側面壁の高さを前記第１基本立体形状の側面壁の高さ未満に設定した角型飲用容器状の立体形状を第２基本立体形状とし、
前記第１基本立体形状と第２基本立体形状とを中心軸を一致させ、第１基本立体形状の口元の高さ位置と第２基本立体形状の口元の高さ位置を揃え、前記側面壁の角部を対応させて重ね合わせたと仮定した場合において、前記第１基本立体形状に属する部分を前記第２基本立体形状から除去した場合に残る残余の立体形状を第３基本立体形状とし、前記第１基本立体形状と前記第３基本立体形状とを一体成形したものに相当する立体形状からなることを特徴とする。
【００３１】
上記構成における第１基本立体形状は、口元形状が円形であって、底面形状が多角形である丸角複合型飲用容器の形状である。つまり、円形の口元形状が底面に向かって徐々に多角形型に変形していく形状である。このような形状の飲用容器が存在するか否かは不明であるが、製造自体は容易である。また、第２基本立体形状は、一般的な角型飲用容器の形状である。その他の条件は解決手段１と同じである。
【００３２】
上記第１基本立体形状と第２基本立体形状とは、側面壁の角部を対応させて重ね合わされる。この結果、第２基本立体形状から第１基本立体形状に属する部分を除去し、除去した残余の部分を第１基本立体形状に一体化すると、第１基本立体形状の側面壁の各々の角部に第２基本立体形状の側面壁の角部が盛り重ねられたような立体形状の飲用容器が形成される。この際、第２基本立体形状の側面壁の高さが第１基本立体形状の側面壁の高さ未満であることから、形成された飲用容器の各々の角部には、側面壁の高さのいずれかの位置に第２基本立体形状の底角部が突出した段差が形成されることになる。
【００３３】
上記のように形成された段差は、飲用容器を積重ね収納する際の受け段として利用することができる。ここで、最終的に形成される引用容器の口元形状は円形であるが、口元以外の部分の横断面形状は、その口元口径内に含まれる円形以外の形状である。つまり、円形の口元形状から徐々に多角形型に変化して過程におけるいずれかの形状である。したがって、形成された段差を利用して飲用容器を積重ねた際には、積み重ねられた上下の飲用容器間には、外気が疎通可能な隙間が生じることとなる。したがって、積重ね収納された飲用容器間に存在することのある水分は、隙間を疎通する外気を介して排出される。
【００３４】
（解決手段４）
本発明は、  口元形状を円形とした側面壁と底面形状を多角形とした底面とからなり、口元の直径である口元口径から底面の外接円の直径である底面口径へと口径が段差なく連続的に漸減する丸角複合型飲用容器状の立体形状を第１基本立体形状とし、口元形状を円形とした側面壁と底面形状を多角形とした底面とからなり、口元の直径である口元口径が前記第１基本立体形状の口元口径以下であって、底面の外接円の直径である底面口径を前記第１基本立体形状の口元口径と底面口径との間の任意の中間値とし、側面壁の高さを前記第１基本立体形状の側面壁の高さ未満に設定してなる丸角複合型飲用容器状の立体形状を第２基本立体形状とし、前記第１基本立体形状と第２基本立体形状とを中心軸を一致させ、第１基本立体形状の口元の高さ位置と第２基本立体形状の口元の高さ位置を揃え、前記側面壁の角部を対応させて重ね合わせたと仮定した場合において、前記第１基本立体形状に属する部分を前記第２基本立体形状から除去した場合に残る残余の立体形状を第３基本立体形状とし、
前記第１基本立体形状と前記第３基本立体形状とを一体成形したものに相当する立体形状からなることを特徴とする。
【００３５】
上記構成は、解決手段３の構成におけると略同等の作用効果を奏することができる第２基本立体形状の条件を示している。解決手段３と異なるのは、第２基本立体形状の口元形状のみであり、他の条件は同じである。これは、解決手段２に関して説明したように、第２基本立体形状の口元形状は、最終的に形成される飲用容器の口元形状として表現されないという理由による。
【００３６】
（解決手段５）
本発明は、上記解決手段３または解決手段４に記載の発明を基本発明として、その第１基本立体形状における底面が、底面の外周部を所定幅の環状に残して、残す外周部以外の部分を凹面に形成することによって形成した環状台を備え、この環状台の少なくとも一箇所が第２基本立体形状の側面壁の隣接する角部と角部との中間位置において切り欠かれて水抜き溝を形成していることを特徴とする。
【００３７】
上記解決手段は、底面に環状台を有する飲用容器を伏せ姿勢で積重ね収納した際に、底面上に滞留する水気が積み重ねた飲用容器間に長期間閉じ込められて不衛生になる問題を解決する手段を示している。なお、飲用容器における環状台は、特別のものではなく、一般的な飲用容器に広く用いられているテーブル面等に対する着座性向上手段である。
【００３８】
すなわち、本発明の基本発明とする飲用容器は、解決手段３に関して説明したように、積み重ねた際に上下の飲用容器間に隙間が生じるように工夫されている。積み重ねた飲用容器間に閉じ込められる水分量が少ない場合には、この対策で十分であるが、底面に環状台を有する飲用容器においては、伏せ姿勢であることにより環状台によって堰き止められた大量の水気が底面上に残存し、上下の飲用容器間に隙間を設ける手段のみによっては、十分な効果が得られない事態が生じる。そこで、隙間の生じる位置に対応して環状台を切り欠いた水抜き溝を設けることによって、底面上に残存した水気を水抜き溝から隙間を介して早期に飲用容器外に導出することができるのである。つまり、本発明は、あくまでも、積重ねた上下の飲用容器間に隙間が生じる解決手段３に記載の発明が前提になる。なお、飲用容器を積み重ねた際に隙間が生じる位置は、第２基本立体形状の側面壁の隣接する角部と角部との中間位置である。
【００３９】
（解決手段６）
本発明の飲用容器は、側面壁に取手を備え、この取手は、第２基本立体形状の側面壁の高さの範囲内に取り付けられていることを特徴とする。
【００４０】
飲用容器が、例えばマグカップのように取手を備える場合において、取手の取付け位置に関する条件を示している。取手は、飲用容器を積み重ねる場合の障害となる。本発明における飲用容器は、第１基本立体形状と第３基本立体形状を一体成形した際に形成される段差を利用することによって無理のない安定な積重ね状態を実現するものである。したがって、取手がある場合には、段差が取手より底面側に形成される必要がある。また、段差は、第２基本立体形状の底角部によって形成される。そこで、取手の位置を第２基本立体形状の側面壁の高さの範囲内に設けることにより、段差の位置を取手より底面側に位置決めすることができることとなる。
【発明の効果】
【００４１】
丸型飲用容器状の立体形状を第１基本立体形状とし、角型飲用容器状または丸角複合型
飲用容器状の立体形状を第２基本立体形状として形成される本発明の飲用容器は、その側
面壁に、丸型飲用容器としての視覚的特徴と形態的特徴、および角型飲用容器としての視
覚的特徴と形態的特徴とを現すことが可能であり、したがって、見る角度によって丸型飲
用容器とも角型飲用容器とも受け取れる興趣性に富む視覚効果を奏するとともに、飲用容
器の外周壁に突出状態となって現れる角型飲用容器の底角部は、積重ねに際してクサビ的
拡張力を発生しない受け段として利用することができるので、多数個の飲用容器を容易か
つ安定に積重ね収納することができる。
【００４２】
丸角複合型飲用容器状の立体形状を第１基本立体形状とし、角型飲用容器状または丸角
複合型飲用容器状の立体形状を第２基本立体形状として形成される本発明の飲用容器は、
上記と同様に、見る角度によって丸型飲用容器とも角型飲用容器とも受け取れる興趣性に
富む視覚効果を奏するとともに、第１基本立体形状と第２基本立体形状の差異に基づく段
差を利用して安定な積重ね状態を実現することができる。また、積重ね状態において互い
に接触することとなる位置における上下の飲用容器の形状が、円形と多角形と組合せとな
って両者間に必然的に隙間が生じるので、安定な積重ねの容易性を害することなく、積み
重ねた上下の飲用容器間に外気を疎通させることができ、内部空間に水分が閉じ込められ
て不衛生になりがちであるという積重ね収納時の問題点を解決することができる。
【図面の簡単な説明】
【００４３】
【図１】本発明の飲用容器の造形条件の一例を模式的に斜視図。
【図２】上記造形条件を模式的に示す斜視図。
【図３】上記造形条件を模式的に示す斜視図。
【図４】上記造形条件を模式的に示す斜視図。
【図５】本発明の飲用容器の造形条件の別の例を模式的に示す斜視図。
【図６】上記造形条件を模式的に示す斜視図。
【図７】上記造形条件を模式的に示す斜視図。
【図８】本発明の造形条件のさらに別の例を模式的に示す斜視図。
【図９】上記造形条件を模式的に示す斜視図。
【図１０】本発明の飲用容器の造形条件のさらに別の例を模式的に示す斜視図。
【図１１】本発明の飲用容器の造形条件のさらに別の例を模式的に示す斜視図。
【図１２】本発明の飲用容器の実施の携帯を示す斜視図。
【図１３】上記実施の形態における底面図。
【図１４】上記実施の形態における図１３のＸ−Ｘ線矢視断面図。
【図１５】上記実施の形態における図１３のＹ−Ｙ線矢視断面図。
【図１６】上記実施の形態における」飲用容器の積み重ね状態を示す説明図。
【図１７】本発明の実施の形態を示す一部切欠き側面図。
【図１８】上記実施の形態における底面図。
【図１９】上記実施の形態における飲用容器の積み重ね重ね状態を示す説明図。
【発明を実施するための形態】
【００４４】
以下、図面を引用しながら本発明の飲用容器の実施の形態例を説明する。なお、本発明
の飲用容器の外形は、一定のデザインルールに即して系統的に決定されるので、先ず、そ
のデザインルールについて説明する。基本的なデザインルールは、４種類である。
【００４５】
（デザインルール１）
先ず、口元１Ａの直径である口元口径Ａ１が側面壁２Ａの高さＡ３の範囲内で底面３Ａ
の直径である底面口径Ａ２へと漸減するベースとなる丸型飲用容器状の第１基本立体形状
１０Ａを設定する（図１）。
【００４６】
次いで、口元１Ｂの外接円Ｓ１の直径である口元口径Ｂ１が第１基本立体形状１０Ａの
口元口径Ａ１以下であって、側面壁２Ｂの高さＢ３が第１基本立体形状１０Ａの高さＡ３
より低く、底面３Ｂの外接円Ｓ２の直径である底面口径Ｂ２が第１基本立体形状１０Ａの
口元口径Ａ１と底面口径Ａ２の任意の中間値である任意角数の角型飲用容器状の第２基本
立体形状１０Ｂを設定する（図２）。なお、この角型飲用容器状の第２基本立体形状１０
Ｂについては、角部を大きくアール面取りした形状が好ましい。
【００４７】
ここで、第１基本立体形状１０Ａと第２基本立体形状１０Ｂとを、互いの中心軸ＣＬを
一致させ、口元１Ａと口元１Ｂの高さ位置を揃えて重ね合わせたと想定し（図３）、第２
基本立体形状１０Ｂから第１基本立体形状１０Ａの属する部分を除去したと想定した場合
の残余部分を第３基本立体形状１０Ｃとする（図４）。第３基本立体形状１０Ｃは、角型
である第２基本立体形状１０Ｂの角数に対応した数に分離した異形錐体状のコーナ片Ｃ…
として残存する。なお、ここでは、第１基本立体形状１０Ａの口元口径Ａ１と第２基本立
体形状１０Ｂの口元口径Ｂ１が同一である場合を図示している。
【００４８】
そして、第１基本立体形状１０Ａに第３基本立体形状１０Ｃを一体成形したと想定した
場合の立体形状がデザインルール１に基づく本発明の飲用容器の外形を決定するのである
。なお、飲用容器の肉厚等については、具体的な実施の形態例の説明において後述する。
【００４９】
（デザインルール２）
デザインルール２における第１基本立体形状１０Ａは、デザインルール１におけると同
様であるが（図１）、第２基本立体形状１０Ｂが異なる（図５）。デザインルール２にお
いて使用される第２基本立体形状１０Ｂは、口元１Ｂの形状が円形であって、底面３Ｂの
形状が多角形である丸角複合型飲用容器の立体形状である。
【００５０】
第１基本立体形状１０Ａに対する第２基本立体形状１０Ｂの口元口径Ｂ１、底面口径Ｂ
２、側面壁２Ｂの高さＢ３に関する条件は、上記デザインルール１と同様である。このよ
うな立体形状を有する第２基本立体形状１０Ｂを重ね合わせたと仮定し（図６）、第２基
本立体形状１０Ｂから第１基本立体形状１０Ａの属する部分を除去したと想定した場合の
残余部分を第３基本立体形状１０Ｃとする（図７）。
【００５１】
この場合に残る第３基本立体形状１０Ｃは、第２基本立体形状１０Ｂの底面３Ｂの角数
に対応する数に分離した異形のコーナ片Ｃ…となる。各コーナ片Ｃは、事実上、第２基本
立体形状１０Ｂの角部であり、第１基本立体形状１０Ａの口元形状と第２基本立体形状１
０Ｂの口元形状とが同一であることにより、下方に向けて厚みが増しながら幅を減ずる曲
面体状の立体形状となる。
【００５２】
このように策定された、第３基本立体形状１０Ｃを第１基本立体形状１０Ａに一体成形
したと仮定した場合の立体形状が、デザインルール２に基づく本発明の飲用容器の外形を
決定することとなる。
【００５３】
（デザインルール３）
デザインルール３に使用する第１基本立体形状１０Ａは、口元１Ａの形状が円形であっ
て、底面３Ａの形状が多角形である丸角複合型飲用容器の立体形状である（図８）。第１
基本立体形状１０Ａにおける口元口径Ａ１は、側面壁２Ａの高さＡ３の範囲内で底面３Ａ
の外接円Ｓ２の直径である底面口径Ａ２へと漸減している。
【００５４】
一方、第２基本立体形状１０Ｂは、デザインルール１の第２基本立体形状１０Ｂと同一
である（図２参照、図９）。すなわち、この場合は、デザインルール１の場合と第１基本
立体形状１０Ａが異なる点が特徴である。両者の口元口径Ａ１，Ｂ１は同一であり、第２
基本立体形状１０Ｂの底面口径Ｂ２は、第１基本立体形状１０Ａの口元口径Ａ１と底面口
径Ａ２との間の任意の中間値に設定されている。また、第２基本立体形状１０Ｂの側面壁
２Ｂの高さＢ３は、第１基本立体形状１０Ａの側面壁２Ａの高さＡ３未満である（図８，
図９）。
【００５５】
このような関係にある第１基本立体形状１０Ａと第２基本立体形状１０Ｂとを両者の口
元１Ａ，１Ｂの高さ位置を揃えて重ね合わせたと仮定した場合には、第２基本立体形状１
０Ｂの側面壁２Ｂの一部、具体的には、コーナ部分が第１基本立体形状１０Ａの側面壁２
Ａから突出する状態となる（図１０）。つまり、この突出する部分が第３基本立体形状１
０Ｃを構成するコーナ片Ｃ…である。
【００５６】
（デザインルール４）
第１基本立体形状１０Ａと第２基本立体形状１０Ｂの双方に丸角複合型飲用容器状の立
体形状が用いられる（図１０，図１１）。両者の相違点は、底面口径Ａ２，Ｂ２と、側面
壁２Ａ，２Ｂの高さＡ３，Ｂ３である。両者を重ね合わせることにより、第３基本立体形
状１０Ｃを構成するコーナ片Ｃ…を求めることができる。
【００５７】
以下、上記デザインルールに基いて形成された具体的な実施の形態例を説明する。本発
明のデザインルールは、市場に提供されている多様な形態の飲用容器に広く適用すること
ができる。このことは、形態ばかりでなく材質についても同様である。ただし、適する程
度には差異があり、最も好ましい材質は合成樹脂である。合成樹脂の場合、樹脂に顔料を
混合して成形することで生地の色調整ができ、絵付けも容易であり、電子レンジ対応の樹
脂も開発されている等の利便性に富むからでもある。
【００５８】
飲用容器１０Ｄは、デザインルール１に基づいて形成されたマグカップである（図１２
，図１３）。飲用容器１０は、口元１の形状を円形とした側面壁２と、円形の底面３とか
らなる一般的な底絞りテーパ付きのカップ状本体に取手４を取り付けた外形である。
【００５９】
飲用容器１０Ｄの側面壁２の４箇所には、等角度に振り分けてデザインルール１によっ
て求めたコーナ片Ｃ…である第２基本立体形状１０Ｂのアール角部５…が突出している。
各アール角部５の頂点部分５Ｔは、飲用容器１０Ｄの側面壁２の他の部分との間に明確な
段差なしている。なお、取手４は、この段差より口元１側に位置している。また、飲用容
器１０Ｄの底面３には、テーブル面等に安定に据え置くための環状台６が形成されている
。
【００６０】
上記のような飲用容器１０Ｄの縦断面形状は、切断する位置によって２様に現れる（図
１４，図１５）。図１４は、図１３のＸ−Ｘ線位置、つまり、中心軸ＣＬを挟んで対応す
るアール角部５，５を含まない位置で切断した縦断面形状であり、口元口径Ｄ１に対して
小径の底面口径Ｄ４を有し、口元１から底面３に向かって口径が段差なく漸減する一般的
な丸型飲用容器状の形状である。この縦断面形状にはアール角部５…は表現されない。し
たがって、この視角から観察する限り、飲用容器１０Ｄは、丸型飲用容器として観察され
る。
【００６１】
図１５は、図１のＹ−Ｙ線位置、つまり、中心軸ＣＬを挟んで対応するアール角部５，
５を含む位置で切断した縦断面形状であり、この視角からは、概ね角型飲用容器としての
外観を呈する。
【００６２】
なお、飲用容器１０Ｄにおける口元内径Ｄ２は、上記アール角部５…の直下位置の中間
外径Ｄ３をわずかに上回る程度に寸法設定されている（図１５）。したがって、複数個の
飲用容器１０Ｄ，１０Ｄは、下側の飲用容器１０Ｄの口元１内に上側の飲用容器１０Ｄの
アール角部５…以下の部分を落し込むようにして任意個数を安定に積み重ねることができ
る（図１６）。
【００６３】
次に、デザインルール３に基づくマグカップ型の飲用容器１０Ｅの例を説明する（図１
７，図１８）。この飲用容器１０Ｅは、一見上記飲用容器１０Ｄに似ているが、デザイン
ルール３に基づく飲用容器１０Ｅでは、第１基本立体形状１０Ａとして丸角複合型飲用容
器の立体形状をベースとし、これに角型飲用容器の立体形状を組み合わせて形成される。
【００６４】
したがって、飲用容器１０Ｅの側面壁２には、アール角部５…が表現されている。飲用
容器１０Ｅの底面３には、環状台６が形成され、この環状台６は、２箇所において切り欠
かれ、水抜き溝６Ｇ，６Ｇが形成されている。この際、各水抜き溝６Ｇは、隣接するアー
ル角部５とアール角部５の中間に位置決めされている。
【００６５】
飲用容器１０Ｅの側面壁２に突出するアール角部５…の突出量は僅かであるが、このア
ール角部５…によって形成される段差は、上記と同様に複数個の飲用容器１０Ｅ，１０Ｅ
を積重ね収納する際の受け段として機能することができる（図１９）。
【００６６】
この形態の飲用容器１０Ｅにおいては、特に伏せ姿勢で積重ね収納する場合に特別な衛
生効果を奏することができる。すなわち、アール角部５…が受け段として機能する場合に
は、下側の飲用容器１０Ｅの各アール角部５…の頂点部分５Ｔ…に、上側の飲用容器１０
Ｅの口元１が載る態様で積み重ねられる。飲用容器１０Ｅにおける口元１の形状は円形で
あるのに対して、アール角部５による段差が形成されている飲用容器１０Ｅの側面２は、
角型に近い形状である。したがって、下側の飲用容器１０Ｅの側面２と、上側の飲用容器
１０Ｅの口元１との間には、必ず隙間Ｆ，Ｆが生じることとなる。したがって、上下の飲
用容器１０Ｅ，１０Ｅ間の水分は、隙間Ｆ，Ｆを介して疎通する外気によって消失する。
また、伏せ姿勢とした際に環状台６の内側に滞留しがちな水分は、水抜き溝６Ｇ，６Ｇを
介して流下し、隙間Ｆ，Ｆを介して早期に排出される。
【００６７】
なお、この水抜き溝６Ｇ、６Ｇは、図１３で示す飲用容器１０Ｄの場合でも設置するこ
とができる。第２立体形状１０Ｂのアール角部５と被せるように積み重ねる他の側の口元
１とは接触するが、その口元１は相互に一定間隔を持っているアール角部５との中間では
、僅かに隙間ができるので、同様の効果がある。
【００６８】
本発明は、漆器製品に対する適用を排除するものではなく、例えば、塗り仕上げの椀ベ
ースの第１基本立体形状に角型の第２基本立体形状を組み合わせることによって、塗り仕
上げを傷つけることなく積み重ねることができる椀を得ることができる。デザイン自由度
の狭い伝統漆器産業への新規デザインの提供でもある。
【符号の説明】
【００６９】
１０Ａ      第１基本立体形状
１０Ｂ      第２基本立体形状
１０Ｃ      第３基本立体形状
１Ａ        第１基本立体形状の口元
１Ｂ        第２基本立体形状の口元
２Ａ        第１基本立体形状の側面壁
２Ｂ        第２基本立体形状の側面壁
３Ａ        第１基本立体形状の底面
３Ｂ        第２基本立体形状の底面
Ａ１        第１基本立体形状の口元口径
Ｂ１        第２基本立体形状の口元口径
Ａ２        第１基本立体形状の底面口径
Ｂ２        第２基本立体形状の底面口径
Ａ３        第１基本立体形状の側面壁の高さ
Ｂ３        第２基本立体形状の側面壁の高さ
Ｓ１        口元の外接円
Ｓ２        底面の外接円
２          側面壁
３          底面
４          取手
６          環状台
６Ｇ        水抜き溝
【図１】
0005417308.tif 000002
【図２】
0005417308.tif 000003
【図３】
0005417308.tif 000004
【図４】
0005417308.tif 000005
【図５】
0005417308.tif 000006
【図６】
0005417308.tif 000007
【図７】
0005417308.tif 000008
【図８】
0005417308.tif 000009
【図９】
0005417308.tif 000010
【図１０】
0005417308.tif 000011
【図１１】
0005417308.tif 000012
【図１２】
0005417308.tif 000013
【図１３】
0005417308.tif 000014
【図１４】
0005417308.tif 000015
【図１５】
0005417308.tif 000016
【図１６】
0005417308.tif 000017
【図１７】
0005417308.tif 000018
【図１８】
0005417308.tif 000019
【図１９】
0005417308.tif 000020